(57)【特許請求の範囲】
【請求項１】
少なくとも部分的に円錐形の管状壁と、前記管状壁にその内部の底端の領域内で実質的に液密態様で結合されている底壁とにより形成された充填可能な内部を含む紙材料のカップであって、内部を境界付ける管状壁が少なくとも一つの周囲変形体を含むものにおいて、前記少なくとも一つの周囲変形体の領域内に前記周囲変形体を安定化する目的のための補強材が設けられていること、及び前記補強材が、前記管状壁に付与された接着剤すみ肉の形態であることを特徴とするカップ。
【請求項２】
前記接着剤すみ肉が、前記管状壁の全周に渡って前記周囲変形体を安定化する目的のために付与されることを特徴とする請求項１に記載のカップ。
【請求項３】
外部套管が設けられ、この外部套管が前記接着剤すみ肉により前記管状壁に結合されることを特徴とする請求項１又は２に記載のカップ。
【請求項４】
前記周囲変形体が、複数の同じタイプのカップからなる積み重ね体において前記カップを支持するための手段の形態であることを特徴とする請求項１〜３のいずれか一つに記載のカップ。
【請求項５】
前記底壁と前記管状壁が前記液密結合の領域内に周縁枠を形成し、前記周囲変形体が、複数の同じタイプのカップの積み重ね状態の前記カップの前記周縁枠を支持するための手段の形態であることを特徴とする請求項４に記載のカップ。
【請求項６】
前記カップが、前記管状壁を少なくとも部分的に取り囲む外部套管を持ち、前記周囲変形体が、複数の同じタイプのカップの積み重ね状態の前記カップの前記外部套管を支持するための手段の形態であることを特徴とする請求項４に記載のカップ。
【請求項７】
前記周囲変形体が、前記カップの開放端からその底壁に向かって見たとき、前記カップの内部の少なくとも部分的な断面収縮部を形成し、前記補強材が前記断面収縮部の直ぐ下流に配置されていることを特徴とする請求項１〜６のいずれかに記載のカップ。
【請求項８】
紙材料のカップの製造方法において、円錐形管状壁を実質的に液密態様でカップの底壁に結合し、管状壁内に少なくとも一つの周囲変形体を組み込み、そして少なくとも一つの周囲変形体を安定化するために少なくとも一つの周囲変形体の領域内に補強材を設けること、及び前記補強材が、前記管状壁に付与された接着剤すみ肉の形態であることを特徴とする方法。
【請求項９】
前記カップのその内部から遠いカップの外表面上に前記補強材を設けることを特徴とする請求項８に記載の方法。
【発明の詳細な説明】
【技術分野】
【０００１】
本発明は、紙材料から作られ、かつ少なくとも部分的に円錐形である管状壁と、管状壁にその内部の底端で実質的に液密態様で結合されている底壁とを含む充填可能な内部を持つカップに関し、内部を境界付ける管状壁は少なくとも一つの周囲変形体を含むものである。本発明はまた、紙材料から作られたカップの製造方法に関する。
【背景技術】
【０００２】
紙材料から作られかつ管状壁上に周囲変形体を含むカップは、従来技術において知られている。かかる変形体は、例えばかかるカップの積み重ね性及び触感を改善するために、または外部套管と管状壁の間の断熱空間が満杯のカップが手中に保持されるときであっても圧縮されないように外部套管と管状壁の間の距離を維持するために、設けられる。
【０００３】
ヨーロッパ特許ＥＰ１２２７０４２に開示された一般的なカップは、従来技術を形成する。前述の文献は、二つの円錐形壁により形成された断熱カップを記載し、内壁は、同様なタイプのカップを別のカップ内に積み重ね体で積み重ねるための役目をする内向きに向いた溝を含む。内巻工程により作られた内向きに向いた溝は、複数の積み重ねられたカップが互いの中で動かなくなる可能性なしにカップに効果的な積み重ね及び積み重ね解除を行なう性質を与えることを意図されている。経験的に、開示されたカップは、約２０カップまで積み重ねられることを可能にする満足な性質を表わすことを示した。もし実質的により多くのカップが積み重ねられるなら、それらは互いの中で動かなくなる。特に、積み重ねられたカップが互いの中で動かなくなるような場合は、多数のカップが一緒に積み重ねられるときにカップの死重の結果としてカップの開放端からその底壁に向けられる軸方向圧力により起こされる。カップは、５０の積み重ねられたカップの積み重ね体が普通の力により下に押されるときでさえ互いの中で動かなくなりうる。溝の不十分な剛直性は互いの中で動かなくなるカップの原因として考慮されなければならないが、この不十分な剛直性はこの製作方法では改善されることができない。なぜなら溝を作る内巻工程は材料の強度を低下するからである。
【０００４】
上述のものより改善された積み重ね性を持つカップがドイツ特許出願ＤＥ１０２００４０５６０３２Ａ１に記載されているが、この出願もまた周囲変形体の領域内でのカップの管状壁の変形のために互いの中で動かなくなるカップの問題に対する満足すべき解決を提案しない。
【発明の概要】
【０００５】
本発明の目的は、紙材料から作られた改善されたカップ、及び紙材料から作られたカップの改善された製造方法を提供することである。
【０００６】
本発明によれば、紙材料から作られた特定のカップがこの目的のために提供され、このカップは、少なくとも部分的に円錐形の管状壁とこの管状壁にこのカップの内部の底端で管状壁に実質的に液密態様で結合されている底壁とを含む充填可能内部を持ち、内部を境界付けるこの管状壁は少なくとも一つの周囲変形体を含み、この周囲変形体を安定化するための補強材がこの少なくとも一つの周囲変形体の領域内に配置されている。
【０００７】
驚くべきことに、周囲変形体の領域内の補強材は紙材料から作られたカップの性能特性を実質的に改善することができることが観察された。即ち、種々の目的のためにカップ上に設けられることができるこれらの変形体がそれら自身、負荷下にそれらがもはやそれらのために意図された仕事を実施することができないような、すなわち積み重ねられる複数のカップが信頼性をもって積み重ねられることを可能にするようなまたは外部套管と管状壁の間の距離を維持するような、範囲まで変形されることができることが確立された。驚くべきことに、周囲変形体の変形は、紙材料から作られたカップ上に実際に作用する過剰な力が事実上なくても起こる。例えば複数の紙カップを含む積み重ね体において、下方のカップ上に作用するのは各上方カップの重量のみである。補強材を設けることにより、周囲変形体の形状は負荷下でさえ実質的に変えられないか、または周囲変形体の形状は周囲変形体が意図した仕事をなお実施することができるような範囲にまでのみ変えられることが確実にされることができる。
【０００８】
本発明の一展開において、補強材は、管状壁に付与された被覆の形態である。
【０００９】
例えば、この補強材は、特に周囲変形体の領域内のそのある部分の管状壁の周囲上に噴霧されるプラスチック材料の被覆の形態であることができる。紙カップが作られている紙材料は通常、例えば液体と接触させられる内表面上をプラスチック材料で被覆される。次いで追加の被覆が、周囲変形体を安定化するためにその製造に続いて周囲変形体の領域に付与されることができる。
【００１０】
本発明の一展開において、補強材は、管状壁に付与された接着剤すみ肉の形態である。
【００１１】
驚くべきことに、管状壁上の周囲変形体の非常に実質的な補強が接着剤すみ肉の簡単な付与により達成されることができることが観察された。接着剤すみ肉の付与は特に簡単である、なぜならカップの底壁及び管状壁及び所望により外部套管はどのような場合であっても互いに接着剤により結合されるからである。従って、接着剤すみ肉の周囲変形体の領域内の追加の付与はカップの製造のための通常の装置に含まれるもの以外の装置を必要としない。本発明の目的のために、用語「接着剤」はグルー（のり）、ホットメルト接着剤、可塑性接着剤等を言う。
【００１２】
本発明の一展開において、周囲変形体を安定化するための接着剤すみ肉は、管状壁の全周にわたって付与される。
【００１３】
この方法では、周囲変形体は管状壁の全周にわたって簡単に安定化されることができ、接着剤すみ肉はまた、問題を起こすことなく付与されることができる。なぜなら例えばカップの底壁を管状壁にカップの全周に結合するとき、どのような場合であっても液密連結を確立することが必要であるからである。有利には、接着剤すみ肉は管状壁の全周に一定レベルで配置される。周囲変形体のタイプ及び使用される接着剤のタイプに依存して、接着剤すみ肉がカップの内部からは遠い管状壁の側に配置されるときに有利でありうる。この方法では、接着剤すみ肉は二重壁断熱カップで視野から完全に隠されることができる。なぜなら接着剤すみ肉はカップの完成状態で断熱外部套管と液体を収容する管状壁の間に位置されるからである。
【００１４】
本発明の一展開において、接着剤すみ肉により管状壁及び／または底壁に結合される外部套管が提供される。
【００１５】
二重壁断熱カップは、実際のカップの上でスライドされることができるかまたはその周りに置かれることができる外部套管を含む。周囲変形体を安定化するための接着剤すみ肉は同時に、外部套管を例えばその底端でカップの管状壁にまたは底壁に結合するために使用されることができる。この方法では、付与された接着剤は、二重機能、すなわち一方では周囲変形体を安定化する機能と、外部套管をしっかりと取り付ける機能とを果たすことができる。
【００１６】
本発明の一展開において、補強材は別個の補強要素、特に補強リングの形態である。
【００１７】
周囲変形体は別個の補強要素の設置により管状壁上で安定化されることができる。有利には、補強要素は、補強を必要とする周囲変形体のその領域に釣り合うように構成されている。補強要素は例えばプラスチック材料から作られることができ、例えばプラスチック材料のリングの形態であることができる。かかるタイプのリングは、管状壁の外部表面上をスライドされることができ、またはこれに代えてカップの内部中に挿入され、かつ周囲変形体の領域内に固定されることができる。補強要素がカップの内部に置かれるとき、この補強要素はまた、補強要素がカップの開放端の領域内に配置されるという条件で、蓋または充填口を含む要素のようなカップの一部を直接形成しない追加の要素を取り付けるために使用されることができる。例えば、周囲変形体の領域内の内部カップ周りにリングを形成するために配置されかつ内部カップに追加的にのり付けされる断熱外部套管の部分はまた、別個の補強要素として役立つことができる。
【００１８】
本発明の一展開において、周囲変形体は、複数の同様なタイプのカップの積み重ね状態でカップを支持するための手段の形態である。
【００１９】
例えば、周囲変形体は、カップの内部中に延びる凹入かかと形状の肩または略半円形断面を持つ溝の形態である。
【００２０】
本発明の一展開において、底壁と管状壁は液密結合の領域内に周縁枠を形成し、周囲変形体は、複数のカップの積み重ね状態の同様なタイプの別のカップの周縁枠を支持するための手段の形態である。
【００２１】
周囲変形体の領域内の補強材の設置は、周囲変形体のかかる実施態様において、すなわち別のカップの周縁枠のための支持体の形態の周囲変形体において特に有利であると証明された。周囲変形体は接着剤すみ肉の付与により非常に簡単に補強されることができ、驚くべきことに、周囲変形体は、補強材を備えたときに非常に大きな積み重ね負荷であっても耐えることができることが見出された。本発明のカップにおいて、複数のカップが非常に多くの数のカップを含む積み重ね体においてであっても互いの中で動かなくなるおそれがない。
【００２２】
本発明の一展開において、カップは、管状壁を少なくとも部分的に取り囲む外部套管を含み、周囲変形体は、複数のカップの積み重ね状態の同様なタイプのカップの外部套管を支持するための手段の形態である。
【００２３】
例えば、カップは、管状壁上に配置された周囲変形体によりかつ外部套管の周縁枠により積み重ねされる。この場合においてもまた、周囲変形体の領域内の補強材はかかるカップの積み重ね性を実質的に改善することができる。
【００２４】
本発明の一展開において、周囲変形体はカップの開放端から底壁の方向に見たとき、内部の断面において少なくともある領域に、収縮部を示し、補強材は収縮した断面の領域の直ぐ下流に配置されている。
【００２５】
この方法において、特に周囲変形体が複数のカップを積み重ねるときに同様なタイプのカップを支持するための手段の形態で設けられるとき、補強材は、周囲変形体が負荷状態でその形状を失うことを防ぎ、従って積み重ねカップが互いの中で動かなくなることが起こるのを防ぐことができる。収縮した断面の領域の直ぐ下流に配置されている補強材の結果として、周囲変形体は、せいぜい積み重ね上方カップが収縮した断面の領域の上に位置されている下にあるカップの管状壁の部分を外向きに押圧するような方法で変形されるであろうが、積み重ね上方カップは、収縮した断面を持つ下にあるカップの領域の下に下向きにスライドしないであろうし、それはそうでなければ積み重ねられたカップが互いの内側で動かなくなることを必然的に起こすであろう。
【００２６】
本発明の一展開において、補強材は、管状壁のその内部から遠い外部表面上の断面の減少を形成する周囲変形体の部分にもたれかかる。
【００２７】
この方法では、接着剤すみ肉、別個の補強要素、または被覆の形態で付与された補強材は、複数のカップの積み重ね状態で最大の変形力にさらされる領域でカップの管状壁が正確に補強されることを可能にする。
【００２８】
本発明の目的はまた、紙材料から作られたカップの製造方法により達成され、その方法は次の工程を含む：
−  円錐状または円筒状管状壁をカップの底壁に実質的に液密態様で結合する、
−  少なくとも一つの周囲変形体を管状壁に組み込む、そして
−  少なくとも一つの周囲変形体の領域内に少なくとも一つの周囲変形体を安定化するための補強材を設ける。
【００２９】
本発明の方法は、管状壁に配置された周囲変形体が非常に簡単な態様で補強されることを可能にする。補強材を設ける目的のためには、カップの紙材料に追加の材料を付与することが必要なだけである。プラスチック材料の射出成形カップと異なり、紙カップ上に補強材を設けることは極めて問題である。これらの紙カップは、もちろん、連続した実質的に一定の材料厚さを持つ。本発明は、この問題を、管状壁への周囲変形体の生成に続いて補強材が少なくとも一つの周囲変形体の領域内に設けられることで解決する。
【００３０】
本発明の一展開において、補強材は、カップの内部から遠い管状壁の外部表面上に設けられる。
【００３１】
この方法では、液体と接触させられるカップの内部は補強材の付与により影響を受けないままであり、従ってもし必要であるなら、補強材は例えば液体と長時間接触させられるべきでない材料から構成されることができる。
【００３２】
本発明の一展開において、接着剤すみ肉は少なくとも一つの周囲変形体を安定化するために周囲変形体の領域内に付与される。
【００３３】
特に効果的かつ特に簡単な補強材は接着剤すみ肉の付与により達成されることができる。一般に、管状壁を底壁に結合するために、管状壁を形成するための紙素材から円錐形要素の作成のために、及び外部套管を取り付けるために、いずれの場合でも接着剤の付与は必要である。従って、本発明の方法は、周囲変形体を安定化するために周囲変形体の領域内への追加の接着剤すみ内の付与のために紙カップの製造のための通常の装置を使用することを可能にする。
【００３４】
カップの積み重ね及び積み重ね解除の特性は本発明により実質的に改善される。特に、従来技術より実質的に多くのカップを積み重ねることが可能であり、これらは多数の積み重ねカップを含む積み重ね体が不意に落下したときまたは例えばカップマガジンを装填するときに起こりうるような何らかの他の方法で積み重ねられたカップ上に大きな軸方向推力が作用するときであっても互いの中で動かなくなることはない。
【００３５】
周囲変形体の付与のためにカップが変形されかつその円形形状を失うかもしれないが、これは同様に本発明により防がれる。
【００３６】
本発明によれば、周囲変形体は、被覆、好ましくはこの分野で慣習的に使用されるホットメルト接着剤の意図された付与により強化される。さらに、カップの管状壁の周囲変形体は、例えばリングの形態のものであり、好ましくは既に周囲変形体の形状を持つ要素により強化されることができる。このタイプの要素は好ましくはプラスチック材料または紙から作られる。カップの管状壁にこのリングが取り付けられる場所は、このリングがカップの管状壁の内側または外側に位置するか否かの問題に関してこの文脈では重要ではない。
【００３７】
ＥＰ１２２７０４２Ｂ１に開示されたカップの欠点は、カップを積み重ねるときに発生する力がカップの内部を境界付ける管状壁によりかつ外部套管により吸収されることである。第一支持手段から誘導されかつ第二支持手段によりカップの内側に吸収されなければならない力は、最初内部管状壁と外部套管の間の結合部のそばの内部を境界付ける管状壁により吸収され、次いで外部套管のそばのこの結合部により吸収される。外部套管では、力は次いで内巻体の形態である第二支持手段により吸収され、この点で次のカップにより吸収される。結果として、管状壁と外部套管はともに、もたらされた力に抵抗するのに十分な強さであるように構成されなければならない。さらに、外部套管と管状壁の間の結合部はまた、発生する最大力に耐えるように設計されなければならない。
【００３８】
ＥＰ１２２７０４２Ｂ１に開示されたカップの設計の自由度は不利に制限される。なぜなら外部套管に取り付けられた第二支持手段は常に、同様なタイプの別のカップを支持するために第一手段の寸法に釣り合わなければならずかつ関連する力を吸収できなければならないからである。任意の形状を持つ外部套管を設けることまたはその形状を望みのように変えることは不可能である。さらに、カップの効果的な積み重ね性を失うことなく、もし必要なら外部套管を省くことも不可能である。
【００３９】
積み重ね可能なカップは次の工程を含む方法により作られることが好ましい：
−  内部を境界付ける管状壁上に同様なタイプの別のカップを支持するための少なくとも第一手段を造形する；
−  周縁枠上に第二支持手段を造形する、但しこの第二支持手段は、カップが積み重ねられるとき、同様なタイプの別のカップに取り付けられた第一支持手段と共働することができる。
【００４０】
第二支持手段は、内部を境界付ける管状壁上にまたは底壁上にまたは内部を境界付ける管状壁を底壁に結合する結合部上に配置される。いずれの場合でも、第二支持手段は、充填可能な内部と接触状態にあるカップの要素に取り付けられる。
【００４１】
本発明のカップの利点は、それがしっかりしたかつ安定な態様で外部套管を持ってまたは持たずに積み重ねられることができ、かつまたカップが互いの内側で動かなくならずに積み重ねを解くことができ、かつカップに断熱外部套管を提供することができることである。
【００４２】
内部を境界付ける管状壁及び底壁はいずれの場合でも、カップを積み重ねるときに発生する力に抵抗するのに十分な強さである。なぜならそれらはまた、カップを満たすときに発生する力に抵抗することが要求されるからである。
【００４３】
複数のカップを積み重ねるときにそれらが互いの中で動かなくなるのを防ぐために、第二支持手段の寸法が同様なタイプの別のカップを支持するための第一手段の寸法に釣り合うときに有利である。同様なタイプの別のカップを支持するための第一手段は実際には任意に造形されることができる。重要な因子は、第一手段がカップの軸方向に作用する力、すなわち積み重ね工程時に二つのカップ間に作用する力、に抵抗することができる形状を持つべきであることである。第一支持手段は、カップの内部を境界付ける管状壁の少なくともカップの周囲周りの領域内に作られたビードまたは溝の形態のものであることが好ましい。ビードまたは溝は、カップの周囲周りに連続的にまたは断続的に延びるように造形されることができる。
【００４４】
本発明の一実施態様において、断熱外部套管はカップのために設けられ、その断熱外部套管の設計はそれ自体任意である。例えば、外部套管はプラスチック材料、紙、または複合材料から作られることができる。断熱性を改善するために、外部套管は波形、うね形、またはエンボス加工されることができ、またはそれは発泡層を備えることができる。外部套管はこれに代えて多層要素の形態であることができる。例えば、それは、波形中間層と平坦接触した外部層により覆われた波形中間層を含むことができる。本発明のカップが外部套管に関係なく積み重ねられることができるという事実のおかげで、一つの同じ内部カップを簡単かつ殆ど任意な態様で種々様々な外部套管と組み合わせることができる。内部カップ及び充填可能な内部を形成する要素の形状及び寸法を変えることなしに、可変性の光学的及び触感的性質を持つ種々のカップを作ることができる。なぜなら使用者により印象づけられるカップの外観は主として外部套管の設計により決められるからである。
【００４５】
さらに、図３ａ，３ｂ及び３ｄで示された外部套管の底部の内巻端はまた、周囲変形体のための追加の補強要素として使用されることができる。
【００４６】
さらに、好ましくはプラスチック材料から作られたリングは、本発明によれば周囲変形体を補強するために設けられる。
【００４７】
このリングは、支持体を必要とする周囲変形体の領域の形状を持つことができる。さらに、周囲変形体自身は、本発明によればリングの助けにより作られることができ、このリングはカップの管状壁中に押圧される。
【００４８】
リングは、リングがカップの管状壁中に押圧されるときに発生する力がリングを永久的に固定するのに十分でない場合には好ましくはカップの管状壁にのり付けされるべきである。
【００４９】
本発明の追加の特徴及び利点は、請求項中にかつ図面に関する本発明の好適な実施態様の以下の説明中に示される。示された種々の実施態様の個々の特徴は、必要により本発明の範囲を越えることなく組み合わされることができる。
【図面の簡単な説明】
【００５０】
【図１】図１は、第一実施態様による本発明のカップの縦方向断面の図である。
【００５１】
【図２】図２は、第二実施態様による本発明の二つの積み重ねられたカップの縦方向断面の図である。
【００５２】
【図３ａ−３ｄ】図３ａ−３ｄは、第三、第四、第五、及び第六実施態様による本発明のいずれか二つのカップの縦方向断面の部分図である。
【００５３】
【図４】図４は、第七実施態様による本発明のカップの縦方向断面の部分図である。
【００５４】
【図５】図５は、第八実施態様による本発明のカップの縦方向断面の部分図である。
【００５５】
【図６】図６は、第九実施態様による本発明のカップの縦方向断面の部分図であり、そこではリングの形態でここに示された装置は周囲変形体を補強するためにカップの管状壁に対して外側から取り付けられている。
【００５６】
【図７ａ−７ｂ】図７ａ−７ｂはそれぞれ、第十及び第十一実施態様による本発明のカップの縦方向断面の部分図であり、そこではリングの形態でここに示された装置は周囲変形体を補強するためにカップの管状壁に対して内側から取り付けられている。
【発明を実施するための形態】
【００５７】
図１は、内部カップ１２及び外部套管１４を含む二重壁断熱カップ１０を示す。内部カップ１２は実質的に円錐形の管状壁１６及び底壁１８からなり、管状壁１６と底壁１８は互いに液密態様で結合されて周縁枠２０を形成する。周縁枠２０は管状壁１６のＵ形状折りたたみにより形成され、その中にポット形状の底壁１８の略直角縁が挿入されている。前記縁の挿入の後、周縁枠２０は、管状壁１６を底壁１８にのり付け、押圧、及び／または封止することにより完成される。
【００５８】
外部套管１４はケーシングのようにスライドされ、それは同様に円錐形状を持つ。外部套管１４の底端は下部ビード２２の形態をしている。外部套管１４の下部ビード２２は底壁１８の水平部の下の内部カップ１２によりかかる。外部套管１４の上端は、カップ１０の上端を形成する口部ビード２４に隣接するように内部カップ１２によりかかる。
【００５９】
内部カップの内部中に延びるかかと形状の肩２６の形態の周囲変形体は、内部カップ１２の内部の垂直寸法のほぼ１／４のレベルで内部カップ１２の管状壁１６上に設けられている。肩２６は、口部ビード２４により規定されたカップ１０の開放端から底壁１８に向けて見たときに内部の直径の急な減少により形成され、そこでは管状壁１６はカップの縦中心軸２８に向けてほぼ水平に曲げられている。管状壁１６は次いでその一部に渡って縦中心軸２８に平行に延び、再びカップ１０の底端に下向きに達する最終部分に渡って円錐形状をとる。肩２６はこのようにしてカップ１０の内部中に突出する。肩２６の形態の周囲変形体を安定化するために、管状壁１６の外部表面上の肩２６のほぼ水平部分の下に配置された接着剤ビードまたは接着剤すみ肉３０が設けられる。従って、接着剤すみ肉３０はカップ１０の内部中に満たされた液体と接触しない。図１に見ることができるように、接着剤すみ肉３０は、管状壁１６のその内部から遠い外部表面上のかかと形状の肩２６により形成されたほぼ直角のくぼみ中に導入される。
【００６０】
肩２６は、多数のカップが一緒に積み重ねられるときに同様のタイプのカップを支持するための手段として設けられる。特に、二つのカップが積み重ねられるときに同様なタイプの別のカップの下部ビード２２が肩２６の上に支持される。接着剤すみ肉３０は、重い負荷の場合でさえ肩２６の形態の周囲変形体を補強する。接着剤すみ肉はまた、多数のカップが一緒に積み重ねられるときまたはカップの積み重ね体が不意に下に落とされるときにカップが互いの内側で動かなくなるのを防ぐ。
【００６１】
図２は、本発明の第二好適実施態様による二つの積み重ねられたカップ３２ａ，３２ｂの縦断面を示す。カップ３２ａ，３２ｂは互いに積み重ねられ、それぞれ一重壁カップの形態である。しかし、両カップ３２ａ，３２ｂが図１に示された外部套管の態様の断熱外部套管を備えることも容易に可能である。なぜなら積み重ね状態の二つのカップ３２ａ，３２ｂ間に再び十分な空間があるからである。
【００６２】
図２に見ることができるように、カップ３２ａ，３２ｂの管状壁３４は、その下半分の領域内に、内部中に突出するかかと形状肩の形態の周囲変形体３６を備えている。管状壁３４と各カップ３２ａ，３２ｂの底壁３８は、互いに液密態様で結合されて周縁枠４０を形成する。周縁枠４０は、截頭円錐形を形成するように外向きに広がっている。二つのカップ３２ａ，３２ｂの積み重ね状態では、カップの底縁、従って周縁枠４０の下方自由端は周囲変形体３６上に載る。この周囲変形体３６を補強するために、接着剤すみ肉４２は、周囲変形体３６により形成されたくぼみの領域内の管状壁３４の外部表面に付与される。接着剤すみ肉４２は管状壁３４の全周周りに付与される。接着剤すみ肉４２は、下方カップのかかと形状周囲変形体３６が、強い圧力が上方カップ３２ａに付与されるときにおそらく変形されることができるという意味で周囲変形体３６を補強するが、下方カップはいずれにしても周囲変形体３６の領域内でふくらむこと及び上方カップ３２ａをそのときさらに下方カップ３２ｂ中に下にスライドさせることを防止するであろう。むしろ、肩形状の周囲変形体３６は、せいぜい上方カップ３２ａの周縁枠が載る部分が水平に曲がるような方法で変形されるであろう。二つのカップ３２ａ，３２ｂが互いの内側で動かなくなるおそれはない。
【００６３】
周囲変形体３６は肩の形態であり、従ってそれは管状壁３４の断面の減少を示す。従って、収縮部３６はカップの中心軸２８に向けて作用する力、すなわちカップ３２ａ，３２ｂが積み重ねられるときに作用する力を吸収することができる。収縮部３６は肩の形態であり、それはカップの内部中に延びる。管状壁３４がカップの内部を境界付ける周縁枠４０は、ポット形状の深絞り加工された底壁周りに折り曲げられ、周縁枠４０に対して管状壁３４が液密態様で封止され、外向きに膨張され、従って同様なタイプのカップを支持するための手段を示し、周縁枠４０は二つのカップが積み重ねられるときに肩形状の収縮部３６と共働する。
【００６４】
図３ａは、本発明のさらなる実施態様による二つの積み重ねられたカップ４６ａ，４６ｂの縦断面の部分図を示す。カップ４６ａ，４６ｂの内部カップ４８はそれぞれ、内部中に突出する肩５０の形態の周囲変形体を備えている。肩５０を安定化するための接着剤すみ肉５２は、肩５０により形成されたくぼみ内の管状壁４８の外部表面上に設けられる。カップ４６ａ，４６ｂの外部套管５４はその下方領域で１８０°折り曲げられ、折り曲げられた自由端は次いで内部カップに向けて曲げられて接着剤すみ肉５２によりかかる。この方法では、接着剤すみ肉５２は二重機能を果たすことができ、そこではそれは肩５０を安定化するだけでなく、外部套管５４が内部カップの管状壁４８にしっかりと結合されることを確実にする。示された実施態様では、外部套管５４は底壁の下の管状壁によりかかり、その折り曲げられた端部を介して接着剤すみ肉５２によりかかる。
【００６５】
図３ｂは、本発明のさらなる実施態様による本発明の二つの積み重ねられたカップ５６ａ，５６ｂの縦断面の部分図を示す。これは、各カップの外部套管５８の折り曲げが異なる形状をしていることのみが図３ａに示されたカップ４６ａ，４６ｂと異なる。外部套管５８の底端は１８０°折り曲げられており、この折り曲げは平坦ではないが、代わりに小さな直径周りにふくらんでいる。折り曲げられた自由端は次いで再び内部カップに向けて曲げられて接着剤すみ肉５２によりかかる。
【００６６】
図３ｃは、本発明の二つの積み重ねられたカップ６０ａ，６０ｂの縦断面の部分図を示す。カップ６０ａ，６０ｂは、単にそれぞれの外部套管６２の底端の形状の点で図３ａと３ｂに示されたものと異なる。外部套管６２はその底端で折り曲げられ、わずかに内側に向けて曲げられ、従って外部套管の底端はカップ６０ａ，６０ｂの底壁の下で周縁枠によりかかり、それにより管状壁と底壁は互いに対して液密態様で結合される。外部套管６２の底端の折り曲げられた部分は平坦であり、従って折り曲げられた部分はまた、その全表面で外部套管の内部表面によりかかる。
【００６７】
図３ｄは、本発明の二つの更なるカップ６４ａ，６４ｂの縦断面を示す。カップ６４ａ，６４ｂは、単に外部套管６６の下方端の形状の点で図３ａから３ｃに示されたものと異なる。外部套管６６はその底端でわずかに１８０°未満だけ折り曲げられ、従って外部套管の折り曲げられた部分はカップ６４ａ，６４ｂの管状壁の外部表面に平坦によりかかる。従って、外部套管６６の折り曲げられた部分６８は周囲変形体７０の下で管状壁の外部表面上に載る。折り曲げられた部分６８の端部は周囲変形体７０まで延び、折り曲げられた部分６８の上縁は接着剤すみ肉７２によりかかる。外部套管６６を折り曲げることにより、追加の別個の補強がこのようにして達成され、それにより収縮部７０、及び収縮部と底壁間に位置されるカップのその部分７３が補強されることができる。
【００６８】
図４は、本発明のさらなるカップ７４の縦断面の部分図を示す。カップ７４は管状壁７６及び断熱外部套管７８を含む内部カップを含む。管状壁７６は口部ビード８０の下に周囲変形体８２を備えており、周囲変形体８２は、カップ７４の内部から外向きに離れるように延びるビードまたは溝の形態である。周囲変形体８２は、外部套管７８と管状壁７６の間の正確に規定された距離を確保する役目をし、このようにして満足な断熱性を提供する。周囲変形体８２は、図４に示されたような周囲変形体８２の下に配置された接着剤すみ肉８４により補強され、周囲変形体８２の底部分に隣接する。図から見ることができるように、接着剤すみ肉８４は、一方では周囲変形体８２を安定化し、同時に他方で外部套管７８を管状壁７６に結合する。
【００６９】
図５は、本発明のさらなる実施態様による本発明の別のカップ８６を示す。カップ８６は、下向きに広がった周縁枠の領域内で液密態様で互いに結合された管状壁８８と底壁９０を含む内部カップを含む。さらに、カップ８６は、底壁９０の水平方向に延びる部分の下で管状壁８８によりかかる断熱外部套管９２を含む。外部套管９２の底端はカップ８６を積み重ねるために使用され、そこでは外部套管９２の底端が二つのカップの積み重ね状態の管状壁８８のビード形状のまたは溝形状の周囲変形体９４によりかかる。周囲変形体９４は略半円または円の弧の形態であり、それはカップ８６の内部中に延びる。周囲変形体９４は、例えば管状壁の周囲周りに動くローラーにより形成される。周囲変形体９４を安定化するために、管状壁８８の外部表面上の周囲変形体９４により形成されたへこみは接着剤すみ肉９６により満たされる。接着剤すみ肉９６はこのようにして周囲変形体９４を安定化し、従って外部套管は、カップが積み重ねられるときに周囲変形体９４を越えてスライドできない。この方法では、幾つかのカップが互いの内側で動かなくなるおそれなしに積み重ねられることができる。
【００７０】
図６は、部分縦断面で本発明のさらなるカップ９８を示す。カップ９８は、互いに液密態様で結合されて広がった周縁枠１０４を形成した管状壁１００と底壁１０２を含む内部カップを含む。底壁１０２は全体として逆ポットの形態であり、その折り曲げられた縁は、円周周縁枠１０４が形成されるように管状壁１００のＵ形状折り曲げ中に挿入される。枠１０４は円錐形であり、それはカップの底端に向けて広がっている。管状壁１００は凹角の肩１０６の形態の周囲変形体を備えており、それはカップ９８の内径を急に減少する。複数のカップの積み重ね状態では、周縁枠１０４の下端は肩１０６上にもたれかかる。
【００７１】
肩１０６を安定化するために、プラスチック材料から作られた補強リング１０８が肩１０６の下に設けられ、この補強リング１０８は管状壁１００の外表面上をスライドされて肩１０６の下側に立てかけられる。補強リング１０８はカップ９８の完成状態では管状壁１００上に残る。補強リング１０８が適所にスライドされた後に、断熱外部套管１１０は内部カップ上にスライドされ、それに取り付けられることができる。
【００７２】
図７ａは、管状壁１１４及び底壁１１６を備えている本発明のさらなるカップ１１２を示す。管状壁１１４は、カップ１１２の内部中に突出する溝形状の周囲変形体１１８を備えている。周囲変形体１１８を安定化するために、プラスチックリング１２０が設けられており、それはカップ１１２の内部中に上部から挿入されて周囲変形体１１８の上部にもたれかかる。プラスチックリング１２０は、例えば複数のカップを積み重ね可能にするために使用されることができる。プラスチックリング１２０はまた、例えばクリップで留める蓋、のり付けされた膜、または充填口を含む円盤のような、カップの直接的な部品でない追加の要素を収容するために使用されることができる。
【００７３】
図７ｂは、本発明のさらなるカップ１２２を示す。図７ａに示されたカップ１１２とは異なり、カップ１２２は凹角の肩１２４の形態の周囲変形体を備えている。カップの管状壁１２６は、底壁１２８のすぐ上で円錐形状を再び取るために肩１２４の下でカップの中心軸に実質的に平行に延びる。プラスチックリング１３０はカップの内部中に挿入され、このプラスチックリング１３０は、肩１２４にもたれかかり、従ってそれを補強する周囲凹角かかと状物を備えている。補強リング１３０は、必須ではないが、管状壁１２６にのり付けされることができる。肩１２４の上の管状壁１２６の円錐形状の結果として、補強リング１３０はまた、接着剤の使用なしに、カップ１２２上にしっかりと保持されることができる。補強リング１３０は複数のカップをしっかりと積み重ねるために使用されることができるが、例えば膜、蓋などを収容するために使用されることもできる。
【００７４】
外部套管、及び周囲変形体のようなカップの他の造形手段の種々の設計が必要に応じて互いに任意に組み合わされることができ、示された変形例に限定されないことが特別に述べられる。さらに、図は縮尺通りに描かれていないことに注意するべきである。
【図１】
0005989968.tif 000002
【図２】
0005989968.tif 000003
【図３ａ−３ｄ】
0005989968.tif 000004
【図４】
0005989968.tif 000005
【図５】
0005989968.tif 000006
【図６】
0005989968.tif 000007
【図７ａ−７ｂ】
0005989968.tif 000008